(57)【要約】【課題】安定した締付け量が容易に確保できると共に、部品点数の削減により作業性の向上を図ったディスポーザ用締付けバンド体を提供する。【解決手段】締付けバンド体２１は帯状金属製のバンド部３３と、ボルト３４とナット３５とからなる締結具３６とを備える。バンド部３３の両端部に、ボルト３４の軸部３４ａが挿通される挿通孔が形成された締付け片３３ａ、３３ｂがそれぞれ折り曲げ状に備えられ、一方の締付け片３３ａの端縁に他方の締付け片３３ｂ方向に延設された締付け規制片３３ｃが備えられ、該締付け規制片３３ｃの延設端に他方の締付け片３３ｂに対向すると共にボルト３４の軸部３４ａが挿通される挿通孔を有する対向当接片３３ｄが折り曲げ状に備えられている。【選択図】        図３
2005034718.tif 000002
【特許請求の範囲】
【請求項１】
帯状金属製のバンド部と、そのバンド部の両端部を互いに締め付けるボルトとナットとからなる締結具とを備え、シンクの排水口に取り付けられた取付け管とディスポーザ本体の投入口部とにそれぞれ外嵌された可撓筒体を締付け固定するためのディスポーザ用締付けバンド体において、
前記バンド部の両端部に、前記ボルトの軸部が挿通される挿通孔が形成された締付け片がそれぞれ折り曲げ状に備えられ、一方の締付け片の端縁に他方の締付け片方向に延設された締付け規制片が備えられ、該締付け規制片の延設端に前記他方の締付け片に対向すると共にボルトの軸部が挿通される挿通孔または切欠状溝を有する対向当接片が折り曲げ状に備えられたことを特徴とするディスポーザ用締付けバンド体。
【請求項２】
前記締付け片のいずれか一方に前記ナットがカシメ固定されていることを特徴とする請求項１に記載のディスポーザ用締付けバンド体。
【発明の詳細な説明】
【０００１】
【発明の属する技術分野】
本発明は、厨房の生ゴミ等を破砕するディスポーザにおける可撓筒体を固定するためのディスポーザ用締付けバンド体に関するものである。
【０００２】
【従来の技術】
従来、この種のディスポーザ用締付けバンド体として、略リング状に構成された帯状金属製のバンド部と、そのバンド部の両端部を互いに締け付けるボルト・ナットからなる締結具とを備えた構成とされ、可撓筒体としての防振ゴムの上端部をシンクの排水口に取り付けられた取付け管に外嵌すると共に、下端部をディスポーザ本体の投入口部に外嵌し、それら外嵌部分を締付けバンド体でそれぞれ締付け固定することにより、ディスポーザ本体を吊持する構造のものがあった（例えば、特許文献１参照。）。
【０００３】
このような締付けバンド体の締付け量は、ディスポーザを取り付ける作業者によって異なるおそれがあり、締付け量が不足すると水漏れトラブルを招く原因となり、逆に、締付け過多の場合には防振ゴムの過剰な変形によって、防振ゴムの損傷などのトラブルを招くというおそれがあった。
【０００４】
そこで、図６および図７に示されるように、略リング状に構成された帯状金属製のバンド部１の両端部に備えられた、挿通孔が形成された締付け片１ａ、１ｂにわたって、ボルト２の軸部２ａを挿通するに際し、両締付け片１ａ、１ｂ間に所定長さの筒状スペーサ３を介在した状態で、ナット４にボルト２を螺合して締め付ける方法が採用されている。
【０００５】
この場合、ボルト２をナット４に螺合していけば、両側の締付け片１ａ、１ｂでスペーサ３を挟持した締付け状態が得られ、その後の防振ゴムに対する締付けは、スペーサ３によって規制されるため、両側の締付け片１ａ、１ｂでスペーサ３を挟持した締付け状態が得られるまで締付けることにより、締付け不足や締付け過多の発生が有効に防止でき、安定した締付け量を得ることができる。
【０００６】
また、このような筒状ゴム体の変形防止を図る構造として、締付けバンド体内に環状のリングストッパを配置し、締付けバンド体の締付け過多を防止する取付構造もある（例えば、特許文献２参照。）。
【０００７】
【特許文献１】
特開平１１−５７３号公報
【特許文献２】
実開昭５６−８４０４２号公報
【０００８】
【発明が解決しようとする課題】
しかしながら、上記のようにスペーサ３やリングストッパを使用する方法によれば、別途部品が必要とされ、部品点数の増加を招くという欠点があり、また、シンク下側のスペースは一般に狭く、ディスポーザを取付けるに際して、組付ける部品点数が増加すると取付け作業が面倒となり、作業性の悪化を招くという問題があった。
【０００９】
そこで、本発明は上記問題点に鑑み、安定した締付け量が容易に確保できると共に、部品点数の削減により作業性の向上を図ったディスポーザ用締付けバンド体を提供することを目的とする。
【００１０】
【課題を解決するための手段】
上記目的を達成するための技術的手段は、帯状金属製のバンド部と、そのバンド部の両端部を互いに締め付けるボルトとナットとからなる締結具とを備え、シンクの排水口に取り付けられた取付け管とディスポーザ本体の投入口部とにそれぞれ外嵌された可撓筒体を締付け固定するためのディスポーザ用締付けバンド体において、前記バンド部の両端部に、前記ボルトの軸部が挿通される挿通孔が形成された締付け片がそれぞれ折り曲げ状に備えられ、一方の締付け片の端縁に他方の締付け片方向に延設された締付け規制片が備えられ、該締付け規制片の延設端に前記他方の締付け片に対向すると共にボルトの軸部が挿通される挿通孔または切欠状溝を有する対向当接片が折り曲げ状に備えられた点にある。
【００１１】
また、前記締付け片のいずれか一方に前記ナットがカシメ固定されている構造としてもよい。
【００１２】
【発明の実施の形態】
以下、本発明の実施形態を図面に基づいて説明すると、図１に示される如く、ディスポーザ１０は、流し台におけるシンク１１の排水口１２に、パッキング１３を介して水密状に、リングナット１４により締付け固定される取付け管１５を備え、取付け管１５の下端部に防振機構１６を介してディスポーザ本体１７の上端部が吊持される構造とされている。
【００１３】
防振機構１６は、ゴム材により断面円形の筒状に形成された可撓筒体としてのゴム連結管１９を備え、ゴム連結管１９は、上部の厚肉に形成された上リジッド連結部１９ａと、下部の厚肉に形成された下リジッド連結部１９ｂと、これら上リジッド連結部１９ａと下リジッド連結部１９ｂとの間の外方膨出状に湾曲形成された薄肉の振動吸収筒部１９ｃとから構成されている。
【００１４】
また、上リジッド連結部１９ａの内周面には、取付け管１５の下端部に径方向外方に張出形成された周方向環状の張出係合部が挿入される凹溝部が形成されており、下リジッド連結部１９ｂの内周面には、ディスポーザ本体１７における上ケーシング２０の上端部に径方向外方に張出形成された周方向環状の張出係合部が挿入される凹溝部が形成されている。
【００１５】
そして、ゴム連結管１９の上リジッド連結部１９ａが取付け管１５の下端部に外嵌されて、張出係合部が凹溝部に挿入されると共に、締付けバンド体２１により締付け固定され、下リジッド連結部１９ｂが上ケーシング２０の上端部に外嵌されて、張出係合部が凹溝部に挿入されると共に、締付けバンド体２１により締付け固定され、ここに、取付け管１５とディスポーザ本体１７の上ケーシング２０とがゴム連結管１９を介して互いに連結される構造とされている。
【００１６】
また、取付け管１５の下端部と上ケーシング２０の上端部との相互間におけるゴム連結管１９内に位置して、筒状の金属製支持体２３が配置されている。この支持体２３は取付け管１５下端部の内径、もしくは上ケーシング２０上端部の内径と略同径の内径を有する円筒状に形成されており、支持体２３の上端外周には径方向外方に張出状とされた周方向環状の上係合ツバ部を備えると共に、支持体２３の下端外周には径方向外方に張出状とされた周方向環状の下係合ツバ部を備えた構造とされている。
【００１７】
そして、上リジッド連結部１９ａの凹溝部に支持体２３の上係合ツバ部が嵌入されると共に、下リジッド連結部１９ｂの凹溝部に支持体２３の下係合ツバ部が嵌入された状態で、ゴム連結管１９内に支持体２３が配置されている。
【００１８】
ここに、上ケーシング２０、即ちディスポーザ本体１７は、取付け管１５側に、ゴム連結管１９や支持体２３等からなる防振機構１６を介して吊下げ状態で支持された構造とされている。
【００１９】
前記ディスポーザ本体１７は、前記上ケーシング２０の下側に連結される下ケーシング２４と、下ケーシング２４内に配置されると共に駆動モータ２５によって回転駆動される平面視円形の回転板２６と、回転板２６の上面に径方向に離隔して揺動自在に取り付けられた一対のスイングハンマ２７と、各スイングハンマ２７に対応して下ケーシング２４の内周壁に沿って配設された固定刃２８とを備えた構造とされている。
【００２０】
そして、回転板２６の上方側に、スイングハンマ２７と固定刃２８との協働により上ケーシング２０上端部の投入口部２０ａを通じて投入された厨芥を破砕する破砕室３０を構成し、回転板２６の下方側に、破砕された厨芥が排出される排出室３１を構成している。
【００２１】
前記各締付けバンド体２１は、図２および図３に示されるように、略リング状に構成された所定幅、所定厚みを有する帯状金属製（例えば、ステンレス）のバンド部３３と、そのバンド部３３の両端部を互いに締結弛緩自在に締め付けるボルト３４とナット３５とからなる締結具３６とから構成されている。
【００２２】
また、前記バンド部３３の両端部には、ボルト３４の軸部３４ａが挿通される挿通孔が形成された締付け片３３ａ、３３ｂがそれぞれ折り曲げ状に備えられている。そして、一方の締付け片３３ａの端縁には、さらに折り曲げられて他方の締付け片３３ｂ方向に所定長さ延設された締付け規制片３３ｃが備えられ、締付け規制片３３ｃの延設端には、さらに径内方に折り曲げ状として前記締付け片３３ｂに対向すると共にボルト３４の軸部３４ａが挿通される挿通孔を有する対向当接片３３ｄが備えられている。ここに、これら締付け片３３ａ、締付け規制片３３ｃおよび対向当接片３３ｄによりバンド部３３の端部を側面視略コ字状に折曲した構造とされている。
【００２３】
さらに、前記締付け片３３ａの外側面側には、ナット３５がカシメ固定されている。即ち、図４に示されるように、締付け片３３ａに形成された前記挿通孔３３ｆに、ナット３５の一側面に突設状に備えられた円筒状カシメ部３５ａが嵌挿された状態で、ポンチ等からなるカシメ具３８をナット３５内に押し込み操作することにより、図５に示されるように、カシメ部３５ａを挿通孔３３ｆに形成されたテーパ部に沿って径外方にカシメて、締付け片３３ａにナット３５がカシメ固定される構造とされている。
【００２４】
さらに、前記締付け片３３ｂは、図３にも示されるように、二重に折返し形成されており、その内側端縁からは前記締付け片３３ａの径内方側に案内されるガイド片３３ｅが延設されている。
【００２５】
そして、ボルト３４の軸部３４ａを、締付け片３３ｂの外側方からその挿通孔、対向当接片３３ｄの挿通孔および締付け片３３ａの挿通孔３３ｆに順次挿入し、締付け片３３ａにカシメ固定されたナット３５に螺合して締め付ければ、締付け片３３ｂと対向当接片３３ｄとが当接してそれ以降の締め付けは締付け規制片３３ｃによって規制される構造とされている。
【００２６】
また、図１において、４０は内蓋で、厨芥投入口となる取付け管１５の下部に着脱自在に配置され、その上部には封水キャップ４１が、着脱自在に装着されている。
【００２７】
そして、厨芥が厨芥投入口としての取付け管１５を介してディスポーザ本体１７内の破砕室３０に水と共に投入され、モータ２５の駆動により回転板２６が回転駆動されると、回転板２６の回転に伴って回転するスイングハンマ２７の衝突によって厨芥が破砕されると共に、スイングハンマ２７とその外周の固定刃２８との協働による剪断によって破砕され、破砕された厨芥は、下方の排出室３１に導かれ、水と共に排出通路を介して排出される。
【００２８】
本実施形態は以上のように構成されており、ディスポーザ１０の取付け作業において、取付け管１５の下端部や上ケーシング２０の上端部に外嵌されたゴム連結管１９を締付け固定する場合、締付けバンド体２１を所定位置に保持した状態で、締付け片３３ｂ側よりボルト３４の軸部３４ａを順次挿通して、もう一方の締付け片３３ａにカシメ固定されたナット３５に螺合して締め付けていけばよい。
【００２９】
この際、締付け片３３ａに締付け規制片３３ｃおよび対向当接片３３ｄが延設状に備えられているため、ボルト３４を順次螺合して締め付けていけば、締付け片３３ｂと対向当接片３３ｄとが当接した状態が得られ、それ以降の締め付けは締付け規制片３３ｃによって規制される。従って、締付け片３３ｂと対向当接片３３ｄとが当接するまで締め付けることによって、所望の安定した締付け量が容易に確保でき、締付け不足による水漏れや締付け過多によるゴム連結管１９の損傷などのトラブルも有効に防止できる。
【００３０】
そして、締付け量の設定は、締付け規制片３３ｃの延設長さを適宜変更することによって容易に締付け量を変更することができ、機種に応じた最適な締付け量を容易に提供できる。
【００３１】
また、バンド部３３の端部を折り曲げ形成することによって締付け規制片３３ｃや対向当接片３３ｄを一体に備えた構造とされており、安価に製作可能で、従来のようにスペーサなどを別途必要とせず、部品点数の削減が図れ、狭いスペースでの取付け作業における作業性向上も図れる利点がある。
【００３２】
そして、対向当接片３３ｄの挿通孔にボルト３４の軸部３４ａを挿通した状態で締め付ける構造であるため、ボルト３４の締め付けに際して、締付け規制片３３ｃの外方への広がり変形が有効に防止できる利点もある。
【００３３】
さらに、一方の締付け片３３ａにナット３５がカシメ固定されているため、ボルト３４の締め付けに際して、ナット３５が供回りしないようにナット３５を固定具などで保持しておく必要がなく、この点からも狭いスペースでの取付け作業における作業性に優れる利点がある。
【００３４】
また、締付け片３３ａにナット３５を固定する構造として、溶接によりをナット３５を固定する構造が考えられるが、溶接後、さび止めのための酸化皮膜処理等が別途必要となるなどコスト高を招く欠点がある。これに対し、本願実施形態のように締付け片３３ａにナット３５をカシメにより固定する構造を採用すれば、容易、安価に製作できる利点がある。
【００３５】
なお、締付け規制片３３ｃや対向当接片３３ｄが備えられた締付け片３３ａにナット３５をカシメ固定した構造を示しているが、他方の締付け片３３ｂにナット３５をカシメ固定する構造であってもよい。
【００３６】
また、対向当接片３３ｄにボルト３４の軸部３４ａが挿通される挿通孔を設けた構造としているが、この挿通孔に換えて、軸部３４ａが挿通可能で軸部３４ａの外径より僅かに幅広の切欠状溝を、対向当接片３３ｄの端縁より、バンド部３３の長手方向に沿って形成する構造やバンド部３３の幅方向に沿って形成する構造等であってもよい。
【００３７】
【発明の効果】
以上のように、本発明のディスポーザ用締付けバンド体によれば、バンド部の両端部に、ボルトの軸部が挿通される挿通孔が形成された締付け片がそれぞれ折り曲げ状に備えられ、一方の締付け片の端縁に他方の締付け片方向に延設された締付け規制片が備えられ、該締付け規制片の延設端に他方の締付け片に対向すると共にボルトの軸部が挿通される挿通孔または切欠状溝を有する対向当接片が折り曲げ状に備えられた構造とされており、安定した締付け量が容易に確保できると共に、部品点数の削減により作業性の向上が図れ、安価に提供できるという利点がある。
【００３８】
また、締付け片のいずれか一方にナットがカシメ固定されている構造とすれば、ボルト締付け時におけるナットの供回りが防止でき、この点からも作業性向上が図れるという利点がある。
【図面の簡単な説明】
【図１】本発明の実施形態にかかるディスポーザの断面図である。
【図２】同締付けバンド体の全体平面図である。
【図３】同要部拡大図である。
【図４】ナットのカシメ工程説明図である。
【図５】ナット取付部分の断面図である。
【図６】従来構造を示す締付けバンド体の全体平面図である。
【図７】同要部拡大図である。
【符号の説明】
１０  ディスポーザ
１１  シンク
１２  排水口
１５  取付け管
１７  ディスポーザ本体
２０  上ケーシング
２０ａ  投入口部
２１  締付けバンド体
３３  バンド部
３３ａ  締付け片
３３ｂ  締付け片
３３ｃ  締付け規制片
３３ｄ  対向当接片
３４  ボルト
３５  ナット
３６  締結具
【図１】
2005034718.tif 000003
【図２】
2005034718.tif 000004
【図３】
2005034718.tif 000005
【図４】
2005034718.tif 000006
【図５】
2005034718.tif 000007
【図６】
2005034718.tif 000008
【図７】
2005034718.tif 000009